(57)【要約】【課題】  ブレード及び回路部品の交流電源入力部間に介在する各一対の端子及び接触子間での接触不良が起こり難くなり、使用時において安定な導通を得ることのできるＡＣアダプタを提供する。【解決手段】  回転式の電源プラグを備えたＡＣアダプタにおいて、ブレード３１ａ，３１ｂに導通する電源プラグ３の第１，第２端子３４，３５のうちの一方（第１端子３４）を電源プラグ回転軸上に突設させた。この第１端子３４を、回路部品の交流電源入力部に導通する第１，第２接触子５１，５２のうちの一方（第１接触子５１）に常時接触するように構成し、第２接触子５２及び第２端子３５のみが電源プラグ回転時に接離するように構成することにより、接触不良の危険箇所を半減した。【選択図】        図３
2005108622.tif 000002
【特許請求の範囲】
【請求項１】
交流電源を直流電源に変換する回路部品を収納したケースと、前記交流電源に接続するための導電性の一対のブレードをその各基部が絶縁樹脂製のプラグ本体に埋込み固着されてなる電源プラグとを備え、該電源プラグが、そのブレードを前記ケース内に収納した収納状態と該ケースから突出させた突出状態との間でほぼ９０°回転可能に軸支されたＡＣアダプタにおいて、
前記プラグ本体は、前記ブレードが突出する端面に直交し相互に対向する第１及び第２側面を有し、
該第１及び第２側面の電源プラグ回転軸上には電源プラグ軸支用の回転軸部が各々突設され、前記第２側面の回転軸部の前記電源プラグ回転軸上には前記一対のブレード中のいずれか一方のブレードに導通する第１端子が突設され、かつ、前記第２側面の第１端子から適宜間隔置いた所定位置には他方のブレードに導通する第２端子が突設され、
前記ケース内には、前記回路部品の交流電源入力部に導通する第１及び第２接触子が設けられ、
第１接触子は、その導電面が、常時前記第１端子の側面に弾性をもって接触し、第２接触子は、その導電面に、前記電源プラグが突出状態になったときに前記第２端子の側面が押圧接触されるように構成されたことを特徴とするＡＣアダプタ。
【発明の詳細な説明】
【技術分野】
【０００１】
本発明は、ＡＣコンセントから引き込んだ交流電源を直流電源に変換するＡＣアダプタに関するものである。
【背景技術】
【０００２】
駆動電源として直流電源を使用する電子機器は、ＡＣコンセントからの交流電源をそのまま用いることはできない。そこで、交流電源を直流電源に変換するＡＣアダプタが用いられる。中でも、携帯用電子機器に使用されるＡＣアダプタは、本体（電子機器）と同様にコンパクト化が進んでいる。
従来、この種のＡＣアダプタには、交流電源を直流電源に変換する回路部品を収納したケースに回転式の電源プラグを取り付けたものがある。この電源プラグは、不使用時には上記ケース内に収納され、使用時にはケース面に対してほぼ垂直に起こせるようにほぼ９０°回転可能に構成されており、不使用時におけるＡＣアダプタのコンパクト化に役立っている（例えば、特許文献１参照）。
【特許文献１】特開平１１−２２４７１７号公報
【発明の開示】
【発明が解決しようとする課題】
【０００３】
しかしながら上記従来のＡＣアダプタでは、電源プラグに固着されたブレードからケース内の回路部品に交流電源を供給可能とする、電源プラグ側の一対の端子（接点部）と回路部品側の一対の接触子とが、電源プラグの０°←→ほぼ９０°回転間において一時に接離する構造であった。
このため、各一対の端子及び接触子間において接触不良を起こしやすく、使用時において安定な導通が得られない虞があった。
本発明は、上記のような実情に鑑みなされたもので、各一対の端子及び接触子間における接触不良を極力なくし、使用時において安定な導通を得ることのできるＡＣアダプタを提供することを目的とする。
【課題を解決するための手段】
【０００４】
上記目的を達成するために、特許請求の範囲の請求項１に記載の発明は、交流電源を直流電源に変換する回路部品を収納したケースと、前記交流電源に接続するための導電性の一対のブレードをその各基部が絶縁樹脂製のプラグ本体に埋込み固着されてなる電源プラグとを備え、該電源プラグが、そのブレードを前記ケース内に収納した収納状態と該ケースから突出させた突出状態との間でほぼ９０°回転可能に軸支されたＡＣアダプタにおいて、前記プラグ本体は、前記ブレードが突出する端面に直交し相互に対向する第１及び第２側面を有し、該第１及び第２側面の電源プラグ回転軸上には電源プラグ軸支用の回転軸部が各々突設され、前記第２側面の回転軸部の前記電源プラグ回転軸上には前記一対のブレード中のいずれか一方のブレードに導通する第１端子が突設され、かつ、前記第２側面の第１端子から適宜間隔置いた所定位置には他方のブレードに導通する第２端子が突設され、前記ケース内には、前記回路部品の交流電源入力部に導通する第１及び第２接触子が設けられ、第１接触子は、その導電面が、常時前記第１端子の側面に弾性をもって接触し、第２接触子は、その導電面に、前記電源プラグが突出状態になったときに前記第２端子の側面が押圧接触されるように構成されたことを特徴とする。
【発明の効果】
【０００５】
本発明では、回転式の電源プラグを備えたＡＣアダプタにおいて、ブレードに導通する電源プラグの第１，第２端子のうちの一方（第１端子）を電源プラグ回転軸上に突設させた。そしてこの第１端子を、回路部品の交流電源入力部に導通する第１，第２接触子のうちの一方（第１接触子）に常時接触するように構成し、第２接触子及び第１端子のみが電源プラグ回転時に接離するように構成した。
これによれば、各一対の端子及び接触子の双方が電源プラグ回転時に一時に接離するように構成した従来のＡＣアダプタに比べて、それら各一対の端子及び接触子間において接触不良を起こし難くなり、使用時において安定な導通が得られるという効果がある。
【発明を実施するための最良の形態】
【０００６】
以下、本発明の実施の形態を図面に基づき説明する。なお、各図間において、同一符号は同一又は相当部分を示す。
図１は、本発明によるＡＣアダプタの一実施形態を上ケースを外して示す平面図である。また、図２は図１中の電源プラグを取り出して示す図で、（ａ）図は平面図、（ｂ）図は正面図である。図１，図２共に、電源プラグをケースから突出させたＡＣアダプタ使用時（電源プラグ突出状態）を示す。
【０００７】
これらの図に示すように、本発明のＡＣアダプタは、ケース１と、交流電源を直流電源に変換する回路部品（回路基板２のみ示す。）と、電源プラグ３とを備える。
この場合、ケース１は絶縁性を有する合成樹脂製の上及び下ケース１１ａ，１１ｂからなる。このケース１内には上記回路部品（回路基板２）を収納する部品収納部１１ｃと、電源プラグ３を収納するプラグ収納部１１ｄとを有する。
電源プラグ３は、上記交流電源に接続するための導電性の一対のブレード３１ａ，３１ｂと、絶縁樹脂製のプラグ本体３２とを備える。一対のブレード３１ａ，３１ｂの各基部はプラグ本体３２に埋込み固着されている。
また電源プラグ３は、ブレード３１ａ，３１ｂを上記ケース１内に収納した収納状態と、同ケース１から突出させた突出状態との間でほぼ９０°回転可能に、ケース１内に軸支されている。この軸支は、プラグ本体３２に設けられた後述回転軸部がケース１に設けられた支軸部１２に支持されることにより行われる。なお、回転軸部と支軸部１２との間には、回転軸部の回転角が、ほぼ０°，９０°に達したときに、その位置に位置決めするクリック機構４１が設けられている。クリック機構４１としては、公知の技術が用いられている。
【０００８】
プラグ本体３２は、ブレード３１ａ，３１ｂが突出する端面に直交し、相互に対向する第１及び第２側面３２ａ，３２ｂを有する。ここで、第１及び第２側面３２ａ，３２ｂの電源プラグ回転軸上には、電源プラグ軸支用の回転軸部３３ａ，３３ｂが突設されている。また、この第２側面３２ｂの回転軸部３３ｂの電源プラグ回転軸上には、前記一対のブレード３１ａ，３１ｂ中のいずれか一方のブレード３１ａ又は３１ｂ、例えば第１ブレード３１ａに導通する軸状の第１端子３４が突設されている。更に、上記回転軸部３３ｂの第１端子３４から適宜間隔置いた所定位置、図示例では電源プラグ突出状態〔図２（ｂ）参照〕において、プラグ本体３２正面から見て右斜め上方位置には、他方のブレード、つまり第２ブレード３１ｂに導通する軸状の第２端子３５が突設されている。
なお、第１，第２端子３４，３５間には絶縁壁部３３ｃが形成され、第１，第２端子３４，３５間の絶縁をより確実にしている。この絶縁壁部３３ｃ及び上記回転軸部３３ａ，３３ｂはプラグ本体３２成形時に形成される。
【０００９】
一方、前記ケース１内には、上記回路部品の交流電源入力部（図示せず）に導通する第１及び第２接触子５１，５２が設けられている。ここでは、第１及び第２接触子５１，５２は回路基板２面に固定されている。
この場合、第１接触子５１は、その導電面が、常時、つまり収納状態及び突出状態相互間に亘って、前記第１端子３４の側面に弾性をもって接触し、第２接触子５２は、その導電面に、前記電源プラグ３が図示突出状態になったときに前記第２端子３５の側面が押圧接触されるように構成されている。
具体的には、第１，第２接触子５１，５２は、共に導電性の金属薄板で形成され、回路基板２上面に、各々その後端部が同基板２に固定された状態で隣接配置されている。後掲図３に示すように、第１，第２接触子５１，５２のうち、第１接触子５１の先端側は、やや上方に立ち上がった後、下方側に湾曲して上方への弾性力が働くように形成され、先端部導電面を上記第１端子３４側面の図中下方側に係合させている。第２接触子５２の先端側は、やや上方に立ち上がった後、水平方向に若干延出する「つ」字状に湾曲して上方への弾性力が働くように形成されている。
【００１０】
次に、上述実施形態の要部の動作について図３を併用して説明する。
図３は、図１に示すＡＣアダプタにおける端子３４，３５及び接触子５１，５２のＯＮ／ＯＦＦ（接離）動作を図１中の矢印イ方向、すなわち電源プラグ正面側から示す図である。図３中、（ａ）図はＯＮ動作時（電源プラグ突出状態）を、（ｃ）図はＯＦＦ動作時（電源プラグ収納状態）を、（ｂ）図はＯＮ／ＯＦＦ動作の中途状態を示す。
まず、（ａ）、（ｂ）及び（ｃ）図に示すように、第１接触子５１は、常時、第１端子３４の側面に弾性をもって接触しており、第１ブレード３１ａは、第１端子３４及び第１接触子５１を順に介して回路部品（回路基板２）の一方の交流電源入力部（図示せず）に導通している。
他方、第２接触子５２は、電源プラグ３の突出／収納状態に応じて以下のように第２端子３５に接離して、第２ブレード３１ｂ及び交流電源入力部相互間をＯＮ／ＯＦＦする。
【００１１】
すなわち（ａ）図に示すように、電源プラグ突出状態、つまりＡＣアダプタ使用時においては、電源プラグ３は、（ｃ）図に示す電源プラグ収納状態、つまりＡＣアダプタ不使用時から、ほぼ９０°時計回りに回転させた状態となっている。したがって第２接触子５２は、その導電面、図示例では先端部上面が第２端子３５側面の図中下方側に押圧接触されており、第１接触子５１が第１端子３４と接触していることと相俟って、第１，第２ブレード３１ａ，３１ｂ及び交流電源入力部相互間をＯＮし、回路部品（回路基板２）に交流電源を供給して直流電源に変換させる。
【００１２】
ＡＣアダプタの使用が済んで電源プラグ３をケース１内のプラグ収納部１１ｄに収納するため、電源プラグ３を、その回転軸（回転軸部３３ａ，３３ｂ）を中心に図中反時計回りにほぼ９０°回転させると、第１端子３４は、第１接触子５１に弾性をもって接触しながら軸周り方向にほぼ９０°回転する。一方、第２端子は、第２接触子５２との接触を解きながら徐々に第２接触子５２から離れて行き（〔図３（ｂ）参照〕、ほぼ９０°回転した位置で止まる。
すなわち、第１，第２ブレード３１ａ，３１ｂ及び交流電源入力部相互間は、第２接触子５２が第２端子３５との接触が解かれた時点からＯＦＦとなり、この状態を、再び（ａ）図に示す電源プラグ突出状態に操作されるまで保持する。
なお、電源プラグ３（回転軸部３３ａ，３３ｂ）の回転角がほぼ０°又はほぼ９０°に達するとクリック機構４１が働き、その位置から簡単には、つまり一定値以上の力が作用しない限り、ずれ移動しないように位置決めされる。
【図面の簡単な説明】
【００１３】
【図１】本発明によるＡＣアダプタの一実施形態を上ケースを外して示す平面図である。
【図２】図１中の電源プラグを取り出して示す図である。
【図３】図１に示すＡＣアダプタにおける端子及び接触子の接離動作を図１中の矢印イ方向から示す図である。
【符号の説明】
【００１４】
１：ケース、２：回路基板、３：電源プラグ、３１ａ，３１ｂ：ブレード、３２：プラグ本体、３２ａ，３２ｂ：第１，第２側面、３３ａ，３３ｂ：回転軸部、３４，３５：第１，第２端子、５１，５２：第１，第２接触子
【図１】
2005108622.tif 000003
【図２】
2005108622.tif 000004
【図３】
2005108622.tif 000005